(57)【要約】【課題】本発明は、着物の肩・胸部分や裾部分に模様を付けるとともに、着物の胴部分には模様を付けない絹織物用むしろ及びその製造方法を実現することを目的とする。【解決手段】このため、縦・絣糸用むしろは、縦・絣糸からなる絣むしろ面の両側に縦・木綿糸を配置してむしろ面とし、区画したむしろ面の胴部分のみを引き出し、むしろ面の肩・胸部分及び裾部分と縦・木綿糸とを横・木綿糸にて縛って形成した。また、縦・絣糸用むしろの製造方法を各種の作業工程にて行う。【選択図】図１
2009120985.tif 000002
【特許請求の範囲】
【請求項１】
絣に染色を行う前に手作業の「絣締め加工」工程によって形成される絹織物用むしろにおいて、縦・絣糸のためのむしろの場合には、縦・絣糸により絣むしろ面を形成し、この縦むしろ面の両側に縦・木綿糸を配置してむしろ面とし、長手方向に延びるむしろ面を連続する肩・胸部分と胴部分と裾部分とに区画するとともに、その他の部分に区画し、区画した前記むしろ面の胴部分のみを肩・胸部分と裾部分間から引き出した後に、前記むしろ面の肩・胸部分及び裾部分と前記縦・木綿糸とを横・木綿糸にて縛って前記むしろを形成したことを特徴とする絹織物用むしろ。
【請求項２】
絣に染色を行う前に手作業の「絣締め加工」工程によって形成される絹織物用むしろの製造方法において、縦・絣糸用のむしろ製造作業の場合には、縦・絣糸により絣むしろ面を形成する作業工程と、この縦むしろ面の両側に縦・木綿糸を配置してむしろ面とする作業工程と、長手方向に延びるむしろ面を連続する肩・胸部分と胴部分と裾部分とに区画するとともに、その他の部分に区画する作業工程と、区画した前記むしろ面の胴部分のみを肩・胸部分と裾部分間から引き出す作業工程と、区画した前記むしろ面の胴部分のみを肩・胸部分と裾部分間から引き出した後に、前記むしろ面の肩・胸部分及び裾部分と前記縦・木綿糸とを横・木綿糸にて縛る作業工程とからなることを特徴とする絹織物用むしろの製造方法。
【発明の詳細な説明】
【技術分野】
【０００１】
この発明は絹織物用むしろ及びその製造方法に係り、特に現状の大島紬の作業内容を使用しつつ、着物の肩・胸部分や裾部分にのみ模様を付けるとともに、着物の胴部分には模様を付けず、しかも着物の肩・胸部分や裾部分の柄を同一、あるいは相違したものとすることのできる絹織物用むしろ及びその製造方法に関するものである。
【背景技術】
【０００２】
例えば、絣（かすり）からなる絹織物においては、「絣図案調整」工程から最終の「製織」工程に至るまでに多数の工程がある。
つまり、上記の絹織物、例えば大島紬（「本場奄美大島紬」ともいう。）の絣は、予め設計した模様に基づいて絣糸の所定部位を防染用の木綿糸で縛ってむしろを形成し、このむしろの染色後に得られた絣糸を用いて織った模様織物である。
【０００３】
【特許文献１】特開２００２−２６６２６１号公報
【発明の開示】
【発明が解決しようとする課題】
【０００４】
ところで、従来の絹織物である大島紬においては、絣に染色を行う前に手作業の「絣締め加工」工程によってむしろを形成している。
このとき、図６に示す如く、「縦・絣糸（「緯・絣糸」ともいう。）」２０２からなる「第１絣むしろ面」２０３の両側に「ステガス」と称される「縦・木綿糸」２０４、２０５を配置し、「縦・絣糸」２０２の所定箇所を「横・木綿糸」２１０にて縛り、「縦・絣糸」２０２のための「第１むしろ」２０１を形成している。
また、「横・絣糸（「経・絣糸」ともいう。）」からなる「第２絣むしろ面」の両側に「ステガス」と称される「縦・木綿糸」を配置し、「横・絣糸」の所定箇所を「横・木綿糸」にて縛り、「横・絣糸」のための「第２むしろ」を形成している。
そして、これらの第１、第２むしろに「染色」工程を施し、「染色」工程が終了した後に、「絣むしろ解き」工程によって第１、第２むしろから前記縦・木綿糸及び横・木綿糸を取り除き、染色した縦・絣糸及び横・絣糸を使用して模様織物である大島紬の反物を織り上げている。
しかし、この織り上がった大島紬の反物から着物を製作すると、着物の肩・胸部分や裾部分に模様が付くことは勿論のこと、着物の胴部分にも模様が付いてしまい、着物全体に同一の模様が現出されるという不都合がある。
つまり、大島紬においては、前記第１、第２むしろや、これらの第１、第２むしろに絣の模様を形成する際の「締機（しめばた）」作業に使用される織物機械の作業領域などを鑑み、連続した模様が形成できるように第１、第２むしろが作られているためである。
【０００５】
また、他の織物においては、着物の縫製後に着物の肩・胸部分や裾部分に別途刺繍などを施し、模様を形成する方策も考えられているが、別作業となるため、大なる労力や費用が必要となるという不都合がある。
【０００６】
従って、現状の大島紬の作業内容を使用しつつ、大なる労力や費用を必要とせず、かつ着物の肩・胸部分や裾部分にのみ模様が付き、着物の胴部分には模様が付かないようにするとともに、着物の肩・胸部分や裾部分の柄を同一、あるいは相違したものとすることのできる絹織物用むしろの改善が切望されていた。
【０００７】
このため、この発明は、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ及びその製造方法を実現することを目的とする。
【課題を解決するための手段】
【０００８】
そこで、この発明は、上述不都合を除去するために、絣に染色を行う前に手作業の「絣締め加工」工程によって形成される絹織物用むしろにおいて、縦・絣糸のためのむしろの場合には、縦・絣糸により絣むしろ面を形成し、この縦むしろ面の両側に縦・木綿糸を配置してむしろ面とし、長手方向に延びるむしろ面を連続する肩・胸部分と胴部分と裾部分とに区画するとともに、その他の部分に区画し、区画した前記むしろ面の胴部分のみを肩・胸部分と裾部分間から引き出した後に、前記むしろ面の肩・胸部分及び裾部分と前記縦・木綿糸とを横・木綿糸にて縛って前記むしろを形成したことを特徴とする。
また、絣に染色を行う前に手作業の「絣締め加工」工程によって形成される絹織物用むしろの製造方法において、縦・絣糸用のむしろ製造作業の場合には、縦・絣糸により絣むしろ面を形成する作業工程と、この縦むしろ面の両側に縦・木綿糸を配置してむしろ面とする作業工程と、長手方向に延びるむしろ面を連続する肩・胸部分と胴部分と裾部分とに区画するとともに、その他の部分に区画する作業工程と、区画した前記むしろ面の胴部分のみを肩・胸部分と裾部分間から引き出す作業工程と、区画した前記むしろ面の胴部分のみを肩・胸部分と裾部分間から引き出した後に、前記むしろ面の肩・胸部分及び裾部分と前記縦・木綿糸とを横・木綿糸にて縛る作業工程とからなることを特徴とする。
【発明の効果】
【０００９】
以上詳細に説明した如くこの本発明によれば、絣に染色を行う前に手作業の「絣締め加工」工程によって形成される絹織物用むしろにおいて、縦・絣糸のためのむしろの場合には、縦・絣糸により絣むしろ面を形成し、縦むしろ面の両側に縦・木綿糸を配置してむしろ面とし、長手方向に延びるむしろ面を連続する肩・胸部分と胴部分と裾部分とに区画するとともに、その他の部分に区画し、区画したむしろ面の胴部分のみを肩・胸部分と裾部分間から引き出した後に、むしろ面の肩・胸部分及び裾部分と縦・木綿糸とを横・木綿糸にて縛ってむしろを形成した。
従って、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ、つまり縦・絣糸用のむしろを実現することができる。
また、絣に染色を行う前に手作業の「絣締め加工」工程によって形成される絹織物用むしろの製造方法において、縦・絣糸用のむしろ製造作業の場合には、縦・絣糸により絣むしろ面を形成する作業工程と、縦むしろ面の両側に縦・木綿糸を配置してむしろ面とする作業工程と、長手方向に延びるむしろ面を連続する肩・胸部分と胴部分と裾部分とに区画するとともに、その他の部分に区画する作業工程と、区画したむしろ面の胴部分のみを肩・胸部分と裾部分間から引き出す作業工程と、区画したむしろ面の胴部分のみを肩・胸部分と裾部分間から引き出した後に、むしろ面の肩・胸部分及び裾部分と縦・木綿糸とを横・木綿糸にて縛る作業工程とからなる。
従って、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ、つまり縦・絣糸用のむしろの製造方法を実現することができる。
【発明を実施するための最良の形態】
【００１０】
以下図面に基づいてこの発明の実施例を詳細に説明する。
【実施例】
【００１１】
図１〜図５はこの発明の実施例を示すものである。
【００１２】
まず、絹織物、例えば大島紬について説明すると、大島紬は、絣の種類の１つであり、絣糸を機織りの「縦線（「緯線」ともいう。）」と「横線（「経線」ともいう。）」とのいずれか一方、または両方に用いて織った布（あるいは、縫製した着物を指すが、この実施例においては、「布」で説明する。）を言う。
【００１３】
次に、図５に沿って大島紬の一般的な製造工程について説明する。
大島紬の製造工程の全容を概略的に説明すると、大島紬の製造工程は、図５に示す如く、最初の「絣図案調整」工程１０１と、「織物設計」工程１０２と、「原料絹糸準備」工程１０３とを有する。
「絣図案調整」工程１０１は、大島紬の柄や色合いなどの絣図案を考察し、位置関係などの調整を行う工程である。つまり、構成や文様を組み合わせたり、絵画や写真、風景を独特の手法で描き改める作業である。
「織物設計」工程１０２は、「絣図案調整」工程１０１によって大島紬の図案調整が行われた後に、絣図案に基づいて方眼紙の升目を色付けし、方眼紙の中に点や線で絣図案を表し、織物を織り上げる際の設定を行う工程である。
「原料絹糸準備」工程１０３は、縦・横の絣糸や地糸となる原料絹糸を準備する工程である。
例えば、「原料絹糸準備」工程１０３には、「撚糸（ねんし）」作業や「精錬（せいれん）」作業が含まれる。そして、「撚糸」作業は、数本の生糸を束ねて右側方向に撚りあわせる作業であり、大島紬では約６９玉のマユ糸を合わせたものを一筋（１本）の糸として使用する。また、「精錬」作業は、「撚糸」に含まれている不純物を取り除き、絹繊維だけにする作業である。
【００１４】
また、この「原料絹糸準備」工程１０３の後に、「縦・地糸（「緯・地糸」ともいう。）」工程１０４Ａと、「縦・絣糸（「緯・絣糸」ともいう。）」工程１０４Ｂと、「横・絣糸（「経・絣糸」ともいう。）」工程１０４Ｃと、「横・地糸（「経・地糸」ともいう。）」工程１０４Ｄとに分かれる。
上記の「縦・地糸」工程１０４Ａは、「原料絹糸準備」工程１０３によって準備した原料絹糸から縦・地糸を決定し、後述の各種工程を施す工程である。
「縦・絣糸」工程１０４Ｂは、「原料絹糸準備」工程１０３によって準備した原料絹糸から縦・絣糸を決定し、後述の各種工程を施す工程である。
「横・絣糸」工程１０４Ｃは、「原料絹糸準備」工程１０３によって準備した原料絹糸から横・絣糸を決定し、後述の各種工程を施す工程である。
「横・地糸」工程１０４Ｄは、「原料絹糸準備」工程１０３によって準備した原料絹糸から横・地糸を決定し、後述の各種工程を施す工程である。
【００１５】
そして、「縦・絣糸」工程１０４Ｂと「横・絣糸」工程１０４Ｃとの後には、「うす糊付け（「淡糊付」とも記載する。）」工程１０５ＢＣ、「糸繰り（いとくり）」工程１０６ＢＣ、「製経（せいけい）」工程１０７ＢＣ、「糊張り」工程１０８ＢＣ、「絣締め加工」工程１０９ＢＣとなる。
「うす糊付け」工程１０５ＢＣは、後述する「糸繰り」工程１０６ＢＣや「製経（「はえばた」ともいう。）」工程１０７ＢＣを容易にするためにうすく糊付けを行う工程である。
追記すれば、「うす糊付け」工程１０５ＢＣは、糸の小さな毛羽を糊で固め、扱いやすくするためです。
なお、この「うす糊付け」工程１０５ＢＣを省略することも可能である。
「糸繰り」工程１０６ＢＣは、材料の絹糸を湯で煮た後に乾燥させて「かせ糸」を作り、この「かせ糸」を小さい枠に巻き取る工程である。
「製経」工程１０７ＢＣは、完成品に合わせて「縦・絣糸」と「横・絣糸」との長さや本数を揃える工程である。
「糊張り」工程１０８ＢＣは、絣模様を作るために、「製経」工程１０７ＢＣにて揃えた糸を糊で固め、自然乾燥させて糸の縮みを落ち着かせる工程である。
「絣締め加工（「締機」や「しめばた」ともいう。）」工程１０９ＢＣは、上述の「絣図案調整」工程１０１及び「織物設計」工程１０２によって製作された絣図案に合わせて、「縦・絣糸」や「横・絣糸」を木綿糸で締める工程である。
そして、この「絣締め加工」工程１０９ＢＣで絹織物用むしろが形成される。
【００１６】
更に、前記「縦・地糸」工程１０４Ａ及び「横・地糸」工程１０４Ｄ、そして、「絣締め加工」工程１０９ＢＣの後に、「染色」工程１１０となる。
この「染色」工程１１０は、テーチ木染めと泥染めとを繰り返し行う工程である。
そして、この「染色」工程１１０において、前記「縦・地糸」や「横・地糸」は単色（一色）で模様の背景となる糸であるため、束ねた状態で染められる。
また、「縦・絣糸」と「横・絣糸」は、模様を織りなすため、上述の「絣締め加工」工程１０９ＢＣで形成された絹織物用むしろの状態で染められる。
【００１７】
この「染色」工程１１０の後には、「絣むしろ解き」工程１１１ＢＣとなる。
この「絣むしろ解き」工程１１１ＢＣは、全ての染色作業が終了した後に、全ての木綿糸を解いて絣糸のみとする工程である。
【００１８】
更にまた、前記「染色」工程１１０の後に、「糊付け」工程１１２Ａとなる。
この「糊付け」工程１１２Ａは、上述した「うす糊付け」工程１０５ＢＣと同様に、後述する「糸繰り」工程１１３Ａや「整経」工程１１４Ａを容易にするために糊付けを行う工程である。
なお、この「糊付け」工程１１２Ａを省略することも可能である。
【００１９】
前記「絣むしろ解き」工程１１１ＢＣの後に、「番組」工程１１２Ｂ及び「あげわく（「揚枠」とも記載する。）」工程１１２Ｃなる。
「番組」工程１１２Ｂは、「縦・絣糸」を品別に区分する作業をいいます。前記「絣むしろ解き」工程１１１ＢＣにて総解きされた「縦・絣糸」を一品ずつ綾とりし、図案の番号順に綛（かせ）づくりします。
「あげわく」工程１１２Ｃは、上述の「絣むしろ解き」工程１１１ＢＣによって解かれた「横・絣糸」を絣図案に予め定められた順番に従って並べ、巻き上げていく工程である。
【００２０】
前記「染色」工程１１０の後に、「油亜美（ゆあみ）」工程１１２Ｄとなる。
この「油亜美」工程１１２Ｄは、織る前に「横・地糸」の油剤処理を行う工程である。「横・地糸」は綛（かせ）状のままで実施し、光沢の付与や後工程における静電気が発生して作業の妨げになることを防止します。
【００２１】
そして、上述の「縦・地糸」工程１０４Ａにおける「糊付け」工程１１２Ａの後に、「糸繰り」工程１１３Ａ、「整経」工程１１４Ａ、「地経巻き」工程１１５Ａとなる。
「糸繰り」工程１１３Ａは、後述する「整経」工程１１４Ａの前段階として必要な工程であり、「縦・地糸」をボビンまたは枠に繰り返す作業である。
「整経」工程１１４Ａは、ボビンまたは枠に巻いた「縦・地糸」外して整経台の上で一定の長さ（整経長）と本数に揃える工程である。
例えば、「縦・地糸」の場合は、１６枠（ボビン）を立て、本綾を取り、荒綾を取れるように杭に掛け、糸１６本を一掴みにして左右の杭間を移動して整経長２７ｍになるよう整経台の上を一巡して元に帰します。
「地経巻き」工程１１５Ａは、整経した「縦・地糸」を千切りに巻き込む工程である。
【００２２】
また、上述の「縦・絣糸」工程１０４Ｂにおける「番組」工程１１２Ｂの後に、「水洗い」工程１１３Ｂ、「仕上糊張り」工程１１４Ｂ、「絣糸配合」工程１１５Ｂ、「板巻き」工程１１６Ｂとなる。
「水洗い」工程１１３Ｂは、上述の「番組」工程１１２Ｂにて処理された「縦・絣糸」を水洗いする工程である。
「仕上糊張り」工程１１４Ｂは、「縦・絣糸」に適正な糊付けを行なう工程であり、「仕上糊張り」工程１１４Ｂによって適正に糊付けされた「縦・絣糸」は、製織中に受ける綜絖、筬、杼及び糸間の摩擦や張力に対抗し、「縦・絣糸」を平面的に並び易くする。
「絣糸配合」工程１１５Ｂは、前記「番組」工程１１２Ｂで区分された「縦・絣糸」を絣図案に従って一疋分づつになるよう品番号順に配分する工程である。
例えば、前記「番組」工程１１２Ｂまでフスの状態で抱き合わされていた１６本の「縦・絣糸」を２本づつ綾を残したまま８疋分に分離し、両端をそれぞれ釘に固定する。そして、フス状の絣糸を糊付けし、糊が乾燥しない湿潤状態の間に２本づつ分離して一方の端をそれぞれ釘にかけ、綾を隣りの釘にかけ、次いで絣糸を外して糸がもつれたりしないようきちんと２本づつ分離している事を確かめ、糸がたるまないように、他端をそれぞれ釘にかけて乾燥させ、乾燥後に１疋づつまとめて取り外す。
「板巻き」工程１１６Ｂは、１本１本の「縦・絣糸」を専用の平板部材に巻き取る工程である。
そして、この「板巻き」工程１１６Ｂは、後述する「製織」工程１２０中の「縦・絣糸」のもつれ防止と、繰り出した柄模様の調整に効果を発揮する。
【００２３】
そして、上述の「地経巻き」工程１１５Ａと「板巻き」工程１１６Ｂとの後に、「縦糸配列」工程１１７ＡＢ、「綜絖（そうこう）・筬（おさ）通し」工程１１８ＡＢ、「織り付け」工程１１９となる。
「縦糸配列（「割り込み」ともいう。）」工程１１７ＡＢは、縦糸を絣図案の設計に基づいて「縦・絣糸」と「縦・地糸」とに配列し直す工程である。なぜならば、「縦・絣糸」は板に巻いてあるとともに、「縦・地糸」は千切りに巻いてあるため、織機の上で並べ直す必要があるからです。
「綜絖・筬通し」工程１１８ＡＢは、機巻に巻き取られた縦糸と横糸とを機に掛けていく作業であり、特に、「筬通し」は、「縦・絣糸」を細かい櫛状の「筬羽（おさば）」に通す工程である。
前記「織り付け」工程１１９は、後述する「製織」工程１２０の準備工程である。
【００２４】
更に、上述の「横・絣糸」工程１０４Ｃにおける「あげわく」工程１１２Ｃの後に、「水洗い」工程１１３Ｃ、「管巻き」工程１１４Ｃ、「織り付け」工程１１９となる。
「水洗い」工程１１３Ｃは、上述の「あげわく」工程１１２Ｃにて巻き上げられた「横・絣糸」を水洗いする工程である。
「管巻き」工程１１４Ｃは、上述の「水洗い」工程１１３Ｃ後の「横・絣糸」を多数の管に巻き付ける工程である。
前記「織り付け」工程１１９は、後述する「製織」工程１２０の準備工程である。
【００２５】
更にまた、上述の「横・地糸」工程１０４Ｄにおける「油亜美」工程１１２Ｄの後に、「管巻き」工程１１３Ｄ、「織り付け」工程１１９となる。
「管巻き」工程１１３Ｄは、上述の「油亜美」工程１１２Ｄ後の「横・地糸」を多数の管に巻き付ける工程である。
そして、準備工程である前記「織り付け」工程１１９において、「縦・地糸」の場合には、「綜絖・筬（おさ）通し」工程１１８ＡＢによって織機に架けられている。
準備工程である「織り付け」工程１１９において、「縦・絣糸」の場合には、上述の「縦・地糸」と同様に、「綜絖・筬通し」工程１１８ＡＢによって織機に架けられている。
準備工程である「織り付け」工程１１９において、「横・絣糸」の場合には、「管巻き」工程１１４Ｃにて多数の管に巻き付けられた「横・絣糸」の１つの管を「杼（ひ）（「シャトル」ともいう。）」に収める作業がある。
準備工程である「織り付け」工程１１９において、「横・地糸」の場合には、「横・絣糸」と同様に、「横・地糸」の１つの管を「杼」に収める作業がある。
【００２６】
そして、この「織り付け」工程１１９の後には、「製織」工程１２０となる。
「製織」工程１２０は、「高ばた」と称される手織り用の「機（はた）」で大島紬を織る工程である。
この「製織」工程１２０において、絹織物は、張られた縦糸の間を横糸が、かいくぐる往復運動を連続的かつ、規則的にくり返す交錯動作によって織り上げられる。
なお、交錯の違いによって平織り（ひらおり）や綾織（あやおり）、朱子織（しゅすおり）に分類される。
大島紬は、縦糸と横糸が夫々１本ずつ交互に、交錯して組み合った平織りであり、完成した際の柄模様には裏表がない。
そして、「製織」工程１２０中の作業としては、「横・地糸」と絣糸を交互に約４〜５ｃｍ程度織り込んでから、小道具の長針を用いて「横・絣糸」で織り出した柄模様を合わせる、つまり長針にて「縦・絣糸」を１本・１本抜き合わせる（「ヌギ合せ」という。）作業がある。
また、織り手は、この一巡の手作業を規則的に繰り返しながら、着物一着分となる長さまで延々と織り続ける。
【００２７】
つまり、大島紬を製造する際には、以下のような概略的な手順を踏むこととなる。
（１）絣図案を調整し、織物を設計する。
（２）原料絹糸を準備し、「縦・地糸」や「縦・絣糸」、「横・絣糸」、「横・地糸」を決定する。
（３）むしろを製作する。
（４）染色する。
（５）絣むしろ解きを行い、織り付け前の準備をする。
（６）織り付けを行う。
（７）製織を行う。
【００２８】
ここで、上記の各種の語句に関して、参考までに説明する。
「縦・地糸」は、絹糸からなり、泥染めにより束ねたままで単色（一色）に染色され、大島紬の模様の背景となる糸である。
「縦・絣糸」は、絹糸からなり、泥染めにより「締機」で織られた「むしろ」の状態で染色され、大島紬の模様を織りなすための糸である。
「横・絣糸」は、上述の「縦・絣糸」と同様に、絹糸からなり、泥染めにより「締機」で織られた「むしろ」の状態で染色され、大島紬の模様を織りなすための糸である。
「横・地糸」は、上述の「縦・地糸」と同様に、絹糸からなり、泥染めにより束ねたままで単色（一色）に染色され、大島紬の模様の背景となる糸である。
また、「むしろ」は、「締機」で織られるものであり、「縦・絣糸」と「横・絣糸」とを使用するとともに、「縦・絣糸」の両側に防染用の「縦・木綿糸」を配置し、予め設計した模様に基づいて「縦・絣糸」及び「横・絣糸」の所定部位を防染用の「横・木綿糸」で縛って形成する。
そして、防染用の「縦・木綿糸」及び「横・木綿糸」は「ステガス」と称され、「染色」工程が終了した後に、「絣むしろ解き」工程によって「むしろ」から取り除かれる。
【００２９】
このとき、本発明は、図５の大島紬の製造工程において、「縦・地糸」工程１０４Ａや「縦・絣糸」工程１０４Ｂ、「横・絣糸」工程１０４Ｃ、「横・地糸」工程１０４Ｄから、「うす糊付け」工程１０５ＢＣや「糸繰り」工程１０６ＢＣ、「製経」工程１０７ＢＣ、「糊張り」工程１０８ＢＣを経て、「絣締め加工」工程１０９ＢＣに至るまでの「むしろ」製造に関する。
【００３０】
そして、図１に示す如く、「縦・絣糸」のための「むしろ」１を形成する。
つまり、「縦・絣糸」２のための「むしろ」１の場合には、図１に示す如く、「縦・絣糸」２により「絣むしろ面」３を形成し、この「絣むしろ面」３の両側に「縦・木綿糸」４、５を配置して「むしろ面」６とする。
また、長手方向に延びる「むしろ面」６を連続する「肩・胸部分」７と「胴部分」８と「裾部分」９とに区画するとともに、「その他の部分」（図示せず）に区画する。
そして、区画した前記「むしろ面」６の「胴部分」８のみを「肩・胸部分」７と「裾部分」９間から引き出した後に、前記「むしろ面」６の「肩・胸部分」７及び「裾部分」９と前記「縦・木綿糸」４、５とを「横・木綿糸」１０にて縛って前記「むしろ」１を形成する。
詳述すれば、前記「絣むしろ面」３は、図１に示す如く、複数本の「縦・絣糸」２により形成される。
そして、前記「むしろ面」６は、図１に示す如く、「絣むしろ面」３の両側、例えば図１において上側に、複数本の一側用「縦・木綿糸」４を配置するとともに、図１において下側に、複数本の他側用「縦・木綿糸」５を配置して長手方向に延びる前記「むしろ面」６とする。
また、織り上がった大島紬の「肩・胸部分」７と「胴部分」８と「裾部分」９と「その他の部分」とが連続しているため、前記「むしろ面」６を、図１に示す如く、「肩・胸部分」７と「胴部分」８と「裾部分」９と「その他の部分」とに区画する。
そして、図１及び図２に示す如く、区画した前記「むしろ面」６の「胴部分」８のみを「肩・胸部分」７と「裾部分」９間から引き出す。このとき、前記「胴部分」８の引き出し量は、織り上がった大島紬における模様の配置などによって設定する。
更に、前記「むしろ面」６の「胴部分」８のみを「肩・胸部分」７と「裾部分」９間から引き出した後には、図５の大島紬の一般的な製造工程における「絣締め加工」工程１０９ＢＣを施すものである。つまり、前記「むしろ面」６の「肩・胸部分」７及び「裾部分」９と前記「縦・木綿糸」４、５とを「横・木綿糸」１０にて縛って前記「むしろ」１を形成する。
なお、この「むしろ」１の形成において、織り上がった際の大島紬の「肩・胸部分」７と「裾部分」９との柄である模様を同一とすることができるとともに、仕立て上がり時の着物が一種独特な雰囲気を醸し出すように、大島紬の「肩・胸部分」７と「裾部分」９との柄である模様を相違させることもできる。
【００３１】
前記「縦・絣糸」２用の「むしろ」１を製造する際の作業をみると、以下のような作業工程からなる。
つまり、「縦・絣糸」２用の「むしろ」１の製造作業の場合には、「縦・絣糸」２により「絣むしろ面」３を形成する作業工程と、この「絣むしろ面」３の両側に「縦・木綿糸」４、５を配置して「むしろ面」６とする作業工程と、長手方向に延びる「むしろ面」６を連続する「肩・胸部分」７と「胴部分」８と「裾部分」９とに区画するとともに、「その他の部分」に区画する作業工程と、区画した前記「むしろ面」６の「胴部分」８のみを「肩・胸部分」７と「裾部分」９間から引き出す作業工程と、区画した前記「むしろ面」６の「胴部分」８のみを「肩・胸部分」７と「裾部分」９間から引き出した後に、前記「むしろ面」６の「肩・胸部分」７と「裾部分」９と前記「縦・木綿糸」４、５とを「横・木綿糸」１０にて縛る作業工程とからなるものである。
【００３２】
追記すれば、絹織物、例えば大島紬を織り上げる場合には、「縦線」と「横線」とのいずれか一方、または両方に用いるため、「いずれか一方」を上記の「縦・絣糸」２とすれば対応可能である。
しかし、「いずれか一方、または両方」の場合には、上記の「縦・絣糸」２のみでなく、後述する「横・絣糸」２１を準備する必要がある。
なお、「横・絣糸」２１の場合には、肩・胸部分や胴部分、裾部分が連続しているものの、所定長さの糸において、肩・胸部分や胴部分、裾部分が交互に現出されるものでなく、各部分毎に分割可能であるため、糸を各部分毎に切断することが可能であれば、各部分毎、つまり肩・胸部分や裾部分のむしろを夫々別個に形成すればよい。
後述する「横・絣糸」２１のための「むしろ」２０は、連続する１本の糸からなることを前提にして説明している。
参考までに記載すると、前記「縦・絣糸」２用の「むしろ」１の各符号に対して、混合を回避して理解を容易とするために、「横・絣糸」２１のための「むしろ」２０と、符号を「２０」から開始する。
【００３３】
前記「横・絣糸」２１のための「むしろ」２０は、図３に示す如く、形成する。
つまり、「横・絣糸」２１のための「むしろ」２０の場合には、図３に示す如く、「横・絣糸」２１を連続する「肩・胸部分」２２と「胴部分」２３と「裾部分」２４とに区画するとともに、図示しない「その他の部分」に区画する。
そして、「肩・胸部分」２２の「横・絣糸」２１により「肩・胸部分用絣むしろ面」２５を形成するとともに、「裾部分」２４の「横・絣糸」２１により「裾部分用絣むしろ面」２６を形成し、「胴部分」２３の「横・絣糸」２１のみを「肩・胸部分」２２と「裾部分」２４間から引き出す。
また、「胴部分」２３の「横・絣糸」２１のみを「肩・胸部分」２２と「裾部分」２４間から引き出した状態とし、前記「肩・胸部分用絣むしろ面」２５の両側に「縦・木綿糸」２７、２８を配置して「肩・胸部分用むしろ面」２９とし、前記「裾部分用絣むしろ面」２６の両側に「縦・木綿糸」３０、３１を配置して「裾部分用むしろ面」３２とし、前記「肩・胸部分用むしろ面」２９と「裾部分用むしろ面」３２と前記「縦・木綿糸」２７、２８、３０、３１とを「横・木綿糸」３３にて縛って前記「むしろ」２０を形成する。
詳述すれば、「横・絣糸」２１のための「むしろ」２０の場合には、図３に示す如く、「横・絣糸」２１を連続する「肩・胸部分」２２と「胴部分」２３と「裾部分」２４とに区画するとともに、図示しない「その他の部分」に区画する。
そして、図３に示す如く、「肩・胸部分」２２の「横・絣糸」２１により「肩・胸部分用絣むしろ面」２５を形成するとともに、「裾部分」２４の「横・絣糸」２１により「裾部分用絣むしろ面」２６を形成する。
また、前記「肩・胸部分用絣むしろ面」２５及び「裾部分用絣むしろ面」２６は、図３に示す如く、「横・絣糸」２１により形成される。
そして、「胴部分」２３の「横・絣糸」２１のみを「肩・胸部分」２２と「裾部分」２４間から引き出した状態とする。このとき、前記「胴部分」２３の引き出し量は、織り上がった大島紬における模様の配置などによって設定する。
更に、前記「肩・胸部分用むしろ面」２９は、図３に示す如く、「肩・胸部分用絣むしろ面」２５の両側、例えば図３において上側に、複数本の一側用「縦・木綿糸」２７を配置するとともに、図３において下側に、複数本の他側用「縦・木綿糸」２８を配置して長手方向に延びる前記「肩・胸部分用むしろ面」２９とする。
また、前記「裾部分用むしろ面」３２は、図３に示す如く、「裾部分用絣むしろ面」２６の両側、例えば図３において上側に、複数本の一側用「縦・木綿糸」３０を配置するとともに、図３において下側に、複数本の他側用「縦・木綿糸」３１を配置して長手方向に延びる前記「裾部分用むしろ面」３２とする。
そして、図５の大島紬の一般的な製造工程における「絣締め加工」工程１０９ＢＣを施すものである。つまり、前記「肩・胸部分用むしろ面」２９と「裾部分用むしろ面」３２と前記「縦・木綿糸」２７、２８、３０、３１とを「横・木綿糸」３３にて縛って前記「むしろ」２０を形成する。
なお、この「むしろ」１の形成において、織り上がった際の大島紬の「肩・胸部分」７と「裾部分」９との柄である模様を同一とすることができるとともに、仕立て上がり時の着物が一種独特な雰囲気を醸し出すように、大島紬の「肩・胸部分」７と「裾部分」９との柄である模様を相違させることもできる。
【００３４】
前記「横・絣糸」２１のための「むしろ」２０を製造する際の作業をみると、以下のような作業工程からなる。
つまり、「横・絣糸」２１のための「むしろ」２０の製造作業の場合には、「横・絣糸」２１を連続する「肩・胸部分」２２と「胴部分」２３と「裾部分」２４とに区画するとともに、図示しない「その他の部分」に区画する作業工程と、「肩・胸部分」２２の「横・絣糸」２１により「肩・胸部分用絣むしろ面」２５を形成するとともに、「裾部分」２４の「横・絣糸」２１により「裾部分用絣むしろ面」２６を形成する作業工程と、「胴部分」２３の「横・絣糸」２１のみを「肩・胸部分」２２と「裾部分」２４間から引き出した状態とする作業工程と、前記「肩・胸部分用絣むしろ面」２５の両側に「縦・木綿糸」２７、２８を配置して「肩・胸部分用むしろ面」２９とする作業工程と、前記「裾部分用絣むしろ面」２６の両側に「縦・木綿糸」３０、３１を配置して「裾部分用むしろ面」３２とする作業工程と、前記「肩・胸部分用むしろ面」２９と「裾部分用むしろ面」３２と前記「縦・木綿糸」２７、２８、３０、３１とを「横・木綿糸」３３にて縛る作業工程とからなるものである。
【００３５】
これにより、絣に染色を行う前に手作業の「絣締め加工」工程によって形成される絹織物用むしろにおいて、「縦・絣糸」２のための「むしろ」１の場合には、「縦・絣糸」２により「絣むしろ面」３を形成し、この「絣むしろ面」３の両側に「縦・木綿糸」４、５を配置して「むしろ面」６とし、長手方向に延びる「むしろ面」６を連続する「肩・胸部分」７と「胴部分」８と「裾部分」９とに区画するとともに、「その他の部分」に区画し、区画した前記「むしろ面」６の「胴部分」８のみを「肩・胸部分」７と「裾部分」９間から引き出した後に、前記「むしろ面」６の「肩・胸部分」７及び「裾部分」９と前記「縦・木綿糸」４、５とを「横・木綿糸」１０にて縛って前記「むしろ」１を形成している。
従って、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ、つまり縦・絣糸用のむしろを実現することができる。
【００３６】
また、絣に染色を行う前に手作業の「絣締め加工」工程によって形成される絹織物用むしろにおいて、「横・絣糸」２１のための「むしろ」２０の場合には、「横・絣糸」２１を連続する「肩・胸部分」２２と「胴部分」２３と「裾部分」２４とに区画するとともに、図示しない「その他の部分」に区画し、「肩・胸部分」２２の「横・絣糸」２１により「肩・胸部分用絣むしろ面」２５を形成するとともに、「裾部分」２４の「横・絣糸」２１により「裾部分用絣むしろ面」２６を形成し、「胴部分」２３の「横・絣糸」２１のみを「肩・胸部分」２２と「裾部分」２４間から引き出した状態とし、前記「肩・胸部分用絣むしろ面」２５の両側に「縦・木綿糸」２７、２８を配置して「肩・胸部分用むしろ面」２９とし、前記「裾部分用絣むしろ面」２６の両側に「縦・木綿糸」３０、３１を配置して「裾部分用むしろ面」３２とし、前記「肩・胸部分用むしろ面」２９と「裾部分用むしろ面」３２と前記「縦・木綿糸」２７、２８、３０、３１とを「横・木綿糸」３３にて縛って前記「むしろ」２０を形成している。
従って、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ、つまり横・絣糸用のむしろを実現することができる。
【００３７】
更に、絣に染色を行う前に手作業の「絣締め加工」工程によって形成される絹織物用むしろの製造方法において、「縦・絣糸」２用の「むしろ」１の製造作業の場合には、「縦・絣糸」２により「絣むしろ面」３を形成する作業工程と、この「絣むしろ面」３の両側に「縦・木綿糸」４、５を配置して「むしろ面」６とする作業工程と、長手方向に延びる「むしろ面」６を連続する「肩・胸部分」７と「胴部分」８と「裾部分」９とに区画するとともに、「その他の部分」に区画する作業工程と、区画した前記「むしろ面」６の「胴部分」８のみを「肩・胸部分」７と「裾部分」９間から引き出す作業工程と、区画した前記「むしろ面」６の「胴部分」８のみを「肩・胸部分」７と「裾部分」９間から引き出した後に、前記「むしろ面」６の「肩・胸部分」７と「裾部分」９と前記「縦・木綿糸」４、５とを「横・木綿糸」１０にて縛る作業工程とからなる。
従って、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ、つまり縦・絣糸用のむしろの製造方法を実現することができる。
【００３８】
更にまた、絣に染色を行う前に手作業の「絣締め加工」工程によって形成される絹織物用むしろの製造方法において、「横・絣糸」２１のための「むしろ」２０の製造作業の場合には、「横・絣糸」２１を連続する「肩・胸部分」２２と「胴部分」２３と「裾部分」２４とに区画するとともに、図示しない「その他の部分」に区画する作業工程と、「肩・胸部分」２２の「横・絣糸」２１により「肩・胸部分用絣むしろ面」２５を形成するとともに、「裾部分」２４の「横・絣糸」２１により「裾部分用絣むしろ面」２６を形成する作業工程と、「胴部分」２３の「横・絣糸」２１のみを「肩・胸部分」２２と「裾部分」２４間から引き出した状態とする作業工程と、前記「肩・胸部分用絣むしろ面」２５の両側に「縦・木綿糸」２７、２８を配置して「肩・胸部分用むしろ面」２９とする作業工程と、前記「裾部分用絣むしろ面」２６の両側に「縦・木綿糸」３０、３１を配置して「裾部分用むしろ面」３２とする作業工程と、前記「肩・胸部分用むしろ面」２９と「裾部分用むしろ面」３２と前記「縦・木綿糸」２７、２８、３０、３１とを「横・木綿糸」３３にて縛る作業工程とからなる。
従って、従来の織物機械の作業領域を拡大させることなく、現状の大島紬の作業内容を使用しつつ、着物の肩・胸部分や裾部分にのみ模様を付けることができるとともに、着物の胴部分には模様を付けず、しかも着物の肩・胸部分や裾部分の柄を同一、あるいは相違したものとすることのできる絹織物用むしろ、つまり横・絣糸用のむしろの製造方法を実現することができる。
【図面の簡単な説明】
【００３９】
【図１】この発明の実施例を示す縦・絣糸のための織物用第１むしろの概略平面図である。
【図２】織物用むしろの概略正面図である。
【図３】横・絣糸のための織物用第２むしろの概略平面図である。
【図４】織り上がり完成時の大島紬の概略平面図である。
【図５】大島紬の製造工程を示す図である。
【図６】この発明の従来技術を示す織物用むしろの概略平面図である。
【符号の説明】
【００４０】
１  「むしろ」
２  「縦・絣糸」
３  「絣むしろ面」
４  一側用「縦・木綿糸」
５  他側用「縦・木綿糸」
６  「むしろ面」
７  「肩・胸部分」
８  「胴部分」
９  「裾部分」
１０  「横・木綿糸」
２０  「むしろ」
２１  「横・絣糸」
２２  「肩・胸部分」
２３  「胴部分」
２４  「裾部分」
２５  「肩・胸部分用絣むしろ面」
２６  「裾部分用絣むしろ面」
２７、２８    「縦・木綿糸」
２９  「肩・胸部分用むしろ面」
３０、３１  「縦・木綿糸」
３２  「裾部分用むしろ面」
３３  「横・木綿糸」
【図１】
2009120985.tif 000003
【図２】
2009120985.tif 000004
【図３】
2009120985.tif 000005
【図４】
2009120985.tif 000006
【図５】
2009120985.tif 000007
【図６】
2009120985.tif 000008